(57)【要約】【課題】大気中のホルムアルデヒドを簡単、迅速、高感度に能率よく測定、分析できる技術とその装置の提供。【解決手段】ホルムアルデヒドを含む大気７を通気させる外管４と、この外管４に設けられＭＢＴＨ溶液５を通過させるガス透過性チューブの内管３を設置したガス拡散スクラバー２で、大気中のホルムアルデヒドをＭＢＴＨ溶液５に透過吸収して捕集する。このＭＢＴＨ溶液５に塩化鉄溶液１７を加え、加熱装置１４で加熱し反応促進したＭＢＴＨ溶液５のホルムアルデヒドの吸光度を吸光光度検出器２４で測定し、その濃度を分析する。これらの操作は現場で感度よく短時間で自動処理される。【選択図】    図６
2004333329.tif 000002
【特許請求の範囲】
【請求項１】
大気中のホルムアルデヒドを測定し濃度を分析する方法において、
前記ホルムアルデヒドを含む大気をＭＢＴＨ溶液の有するガス拡散スクラバーに導く工程と、
前記ガス拡散スクラバーに導かれた大気から前記ホルムアルデヒドを前記ＭＢＴＨ溶液に透過吸収捕集し反応させる工程と、
前記ホルムアルデヒドの透過吸収捕集された前記ＭＢＴＨ溶液を加熱装置に導く工程と、
前記加熱装置に導かれた前記ＭＢＴＨ溶液に塩化鉄溶液を混入し反応させる工程と、
前記塩化鉄溶液を混入し反応させた前記ＭＢＴＨ溶液を測定装置に導き前記ホルムアルデヒドの吸光度を測定し濃度を分析する工程と
からなるホルムアルデヒドの分析方法。
【請求項２】
大気中のホルムアルデヒドを測定し濃度を分析する装置において、
前記ホルムアルデヒドを含む大気を通過させる管とこの管に設けられＭＢＴＨ溶液を通過させるチューブとからなり大気中の前記ホルムアルデヒドを前記ＭＢＴＨ溶液に透過吸収捕集し反応させるガス拡散スクラバーと、
前記ホルムアルデヒドの透過吸収捕集により反応された前記ＭＢＴＨ溶液に塩化鉄溶液を混入し加熱するための加熱装置と、
加熱された前記ＭＢＴＨ溶液の前記ホルムアルデヒドの吸光度を測定し濃度を分析する測定装置と
からなるホルムアルデヒドの分析装置。
【請求項３】
請求項２に記載のホルムアルデヒドの分析装置において、
前記ガス拡散スクラバーの前記チューブは、前記ＭＢＴＨ溶液を保持して流し、大気中の前記ホルムアルデヒドを前記ＭＢＴＨ溶液に気体透過性膜を介して捕集するためのガス透過性チューブであることを特徴とするホルムアルデヒドの分析装置。
【請求項４】
請求項２に記載のホルムアルデヒドの分析装置において、
前記測定装置は、フローセル型検出器であることを特徴とするホルムアルデヒドの分析装置。
【請求項５】
請求項２に記載のホルムアルデヒドの分析装置において、
前記ガス拡散スクラバーは、複数個設置可能で各々を切り替えて使用される構成になっていることを特徴とするホルムアルデヒドの分析装置。
【発明の詳細な説明】
【０００１】
【発明の属する技術分野】
本発明は、大気中のホルムアルデヒドを測定し濃度を分析する分析技術とその装置に関するものである。
【０００２】
【従来の技術】
化学物質過敏症の代表例であるシックハウス症候群（ｓｉｃｋ  ｈｏｕｓｅ  ｓｙｎｄｏｒｏｍｅ）の原因物質として、種々の有機化学物質が知られており、高揮発性有機化合物であるホルムアルデヒド（ＨＣＨＯ）もその１つである。このシックハウス症候群の症状は、眼（眼球膜）、鼻粘膜、咽頭等の粘膜刺激症状、粘膜の乾燥、皮膚、疲れ、頭痛、めまい等である。ホルムアルデヒドの場合は、人体への影響が大きいとされている。このホルムアルデヒドは、無色、無臭で刺激臭をもち、常温で気体化し、水、アルコール等に溶ける物質である。人体に取りこまれると、前述の症状を呈し、目がチカチカしたり、ふらふらしたり、又、アレルギー性皮膚炎、中枢神経障害等を起こし、又発ガン性が疑われている。
【０００３】
一般に、ホルムアルデヒドの大気中濃度は、都市部で高く、大気中炭化水素から生成され、光化学スモッグ発生時には特に高い値を示す。居住環境では、新しい住居、家具の接着剤、タバコ、新しい衣類、カーテン、カーペット等が発生源となっている。このような状況から、ホルムアルデヒドに関しては、環境汚染対策上、多くの研究機関で測定、対策処置等の研究がなされ、その報告もされている。
【０００４】
又、法的には、例えば、建築物衛生法関連政省令等により改正がなされ、ホルムアルデヒドの測定について規制がなされている。大気中のホルムアルデヒドの測定には、ＡＨＭＴ吸光光度法やＤＮＰＨ−ＨＰＬＣ法が知られ、広く採用されている。これらの方法は、ＡＨＭＴ（４−ａｍｉｎｏ−３−ｈｙｄｒａｚｉｎｏ−５−ｍｅｒｃａｐｔｏ−１，２，４−ｔｒｉａｚｏｌ）溶液を発色剤としたホルムアルデヒド濃度の測定、即ち、大気中のホルムアルデヒドをほう酸溶液に吸収させ、これを水酸化ナトリウムでアルカリ性にし、ＡＨＭＴ溶液と反応させるものである。
【０００５】
即ち、過ヨウ素酸カリウムを加えて定色した赤色のものを測定する方法であり、又、ＤＮＰＨ−ＨＰＬＣ法は、現場でホルムアルデヒドをＤＮＰＨ（２，４−ｄｉｎｉｔｒｏｐｈｅｎｙｌｈｙｄｒａｚｉｎｅ）に反応させて捕集を行い（カートリッジ等による）、高速液体クロマトグラフィー法（ＨＰＬＣ）等により測定するものである。又、これら以外に、Ｆｌｕｏｒａｌ−Ｐ法（４−ａｍｉｎｏ−３−ｐｅｎｔｅｎ−２−ｏｎｅ）も知られている。これは、ホルムアルデヒドの蛍光分析試薬として有用なものである。ホルムアルデヒドの蛍光ラベル化により検出するものである。この方法に使用される試薬品は、黄色結晶性粉末で水に溶けるものである。
【０００６】
更に、簡易な方法も行われており、そのための簡易測定器も種々知られている。例えば、検知管法として、ポンプを用い、一定流量で３０分吸引採気し、変色した検知管の最先端の目盛りを読む方法である。ホルムアルデヒドを通気させることで、ｐＨ試薬の反応で発色させ、この発色長からホルムアルデヒド濃度を求めるものである。又、ポータブル型のガスクロマトグラフィー（ＧＣ）も知られている。検出器にＰＩＤ（光イオン化検出器）や、ＳＡＷＤ（表面弾性波検出）を用いるものである。このような一般的な方法以外に、独自に提案されたホルムアルデヒドの測定方法も知られている（例えば、特許文献１，２参照）。
【０００７】
【特許文献１】
特開２００２−３２８１２２号公報
【特許文献２】
特開平５−４２０００号公報
【０００８】
【発明が解決しようとする課題】
以上のように、ホルムアルデヒドに関し種々の測定、分析方法が採用されて実施されているが、現状は必ずしも満足な状態で問題点を解決しているものではない。ＡＨＭＴ法は、ＡＨＭＴ溶液を塩酸に溶かして調整する等の操作が必要となり、又発色の反応が安定するまで一定の時間を要するなどである。即ち、この方法は、ホルムアルデヒドを吸収液に取り込んだ後発色させて比色判定を行うもので、ＪＩＳに定められているが、長時間のサンプリングを要する。
【０００９】
この場合、２０ｍｌほどの吸収液に数１０分通気してＡＨＭＴと反応させるが、現場での測定ではなく、長時間のサンプリングが必要である。更に、効果の判定に標準比色板を作成するなど行っているが、経時変化をモニタリングするには不向きであり、操作も煩雑である。又、吸収溶液体積が大きいこと、反応生成物のモル吸光係数があまり大きくない等の理由から十分な感度を得るに至っていない。更に、刻々と変化する大気中のホルムアルデヒドの濃度を追跡し、測定、分析することも困難であった。
【００１０】
ＤＮＰＨ−ＨＰＬＣ法においても、ＤＮＰＨを含む溶液のバブラー（通気瓶）もしくはＤＮＰＨを固定化したカラムに試料大気を反応させ捕集し、その後、ＨＰＬＣ（高速液体クロマトグラフィー）にかけて分析しているが、バブラー溶液内に十分な濃度となるまで捕集を行うために、多量の溶媒を使用し廃液量が多くなる問題点があり、測定にも数１０分から１時間と長時間を要している。又、ＤＮＰＨカラムを用いる場合は、有機溶剤で溶出する必要もある。
【００１１】
又、前記の特許文献で示す方法の一方の文献は、ＭＢＴＨ（２−ｍｅｔｈｙｌ−２−ｂｅｎｚｏｔｈｉａｚｏｌｉｎｅｈｙｄｒａｚｏｎ）を介してアジンを形成し、このアジンが酸化された別の物質と結合し、青色のフォルマザン構造体を形成するもので、試験サンプルの色の観察によりサンプル中のアルデヒドの存在を決定する方法のものである。又、他方の文献のものは酵素を用いる方法のものであるが、現状の問題点を解決するものではない。
【００１２】
更に、簡易分析法は、簡易で便利ではあるが、１回の測定毎に検知管１本が必要であり、測定頻度が多くなると時間もかかり、検知管の無駄も多くなり、又、どうしても測定の正確さに欠け、測定精度上の問題点がある。更に、定電位電解法の方法もある。湿式電気化学センサの場合は、連続的な値が得られるが、感度がよくない欠点がある。
【００１３】
このように、従来の方法は、測定に時間がかかり、又、現場で測定の行えるものでなく、捕集のサンプリング後研究室や試験室に持ちかえり分析しているのが現状である。さらに感度がよくない等測定精度の上からも問題点があり、高感度化が課題となっている。
本発明は、前述のような技術背景のもとになされたものであり、下記目的を達成する。
本発明の目的は、簡単、迅速、高感度に測定、分析のできるホルムアルデヒドの分析技術とその装置を提供することを目的とする。
【００１４】
本発明の他の目的は、高スループットで半連続的に測定、分析のできるホルムアルデヒドの分析技術とその装置を提供することを目的とする。
本発明の更に他の目的は、現場で測定できるポータブルなホルムアルデヒドの分析技術とその装置を提供することを目的とする。
本発明の更に他の目的は、低コストで製造することができるホルムアルデヒドの分析技術とその装置を提供することを目的とする。
【００１５】
【課題を解決するための手段】
本発明は、前記目的を達成するため次の手段を採る。
発明１のホルムアルデヒドの分析方法は、大気中のホルムアルデヒドを測定し濃度を分析する方法において、前記ホルムアルデヒドを含む大気をＭＢＴＨ溶液の有するガス拡散スクラバーに導く工程と、前記ガス拡散スクラバーに導かれた大気から前記ホルムアルデヒドを前記ＭＢＴＨ溶液に透過吸収捕集し反応させる工程と、前記ホルムアルデヒドの透過吸収捕集されたＭＢＴＨ溶液を加熱装置に導く工程と、前記加熱装置に導かれた前記ＭＢＴＨ溶液に塩化鉄溶液を混入し反応させる工程と、前記塩化鉄溶液を混入し反応させた前記ＭＢＴＨ溶液を測定装置に導き前記ホルムアルデヒドの吸光度を測定し濃度を分析する工程とからなっている。
【００１６】
発明２のホルムアルデヒドの分析装置は、大気中のホルムアルデヒドを測定し濃度を分析する装置において、前記ホルムアルデヒドを含む大気を通過させる管とこの管に設けられ前記ＭＢＴＨ溶液を通過させるチューブとからなり、大気中の前記ホルムアルデヒドを前記ＭＢＴＨ溶液に透過吸収捕集し反応させるガス拡散スクラバーと、前記ホルムアルデヒドの透過吸収捕集により反応された前記ＭＢＴＨ溶液に塩化鉄溶液を混入し加熱するための加熱装置と、加熱された前記ＭＢＴＨ溶液の前記ホルムアルデヒドの吸光度を測定し濃度を分析する測定装置とからなっている。
【００１７】
発明３のホルムアルデヒドの分析装置は、発明２において、前記ガス拡散スクラバーの前記チューブは、前記ＭＢＴＨ溶液を保持して流し、大気中の前記ホルムアルデヒドを前記ＭＢＴＨ溶液に気体透過性膜を介して捕集するためのガス透過性チューブであることを特徴としている。
【００１８】
発明４のホルムアルデヒドの分析装置は、発明２において、前記測定装置は、フローセル型検出器であることを特徴としている。
【００１９】
発明５のホルムアルデヒドの分析装置は、発明２において、前記ガス拡散スクラバーは、複数個設置可能で各々を切り替えて使用される構成になっていることを特徴としている。
【００２０】
【発明の実施の形態】
図１は、ＭＢＴＨ、ＡＨＭＴ、ＦＬＵＯＲＡＬ−Ｐの各測定方法により、ホルムアルデヒドの濃度に従った検量線の比較データをグラフ化した図である。これによると、ＭＢＴＨ溶液の場合が、感度の最もよい結果を示している。極大吸収波長は、図２に示すとおりである。ＭＢＴＨ法は、６４０ｎｍである。本発明は、水溶液中のホルムアルデヒドの濃度ではあるが、このような反応系の比較検討の上、最も適するＭＢＴＨ法を採用したものである。ＭＢＴＨは、公知の試薬である。
【００２１】
ＭＢＴＨは、塩化鉄等と反応し酸化すると、酸化呈色反応する。本発明は、この溶液の吸光度を測定し分析する技術とその装置である。以下、その詳細について説明する。図３は、本発明の実施例である全体のシステム１を示した構成図である。図４は、このシステム１構成の中のガス拡散スクラバー（ｇａｓ  ｄｉｆｆｕｓｉｏｎ  ｓｃｒｕｂｂｅｒ）２の部分を示した図である。
【００２２】
本システム１は、基本的にフローインジェクション分析法（ＦＩＡ：ｆｌｏｗ  ｉｎｊｅｃｔｉｏｎ  ａｎａｌｙｓｉｓ）の形態をなしている。ＦＩＡ法は、内径の細いチューブ等に分析試料を注入し、この試料の流れにホルムアルデヒドを混合させ、反応させた後、吸光光度法等で検出、分析する方法で、バッチ法に比べ、分析操作をオンラインで簡単、迅速、高精度に行うことができ、ＪＩＳＫ０１２６でも規定されている。
【００２３】
本発明は、このＦＩＡ法の特徴を最大限に活用したものである。ガス拡散スクラバー２は、内管３と外管４の２重管構造をなしている。内管３は、テフロン（登録商標）、ポリプロピレンなどの多孔性膜又はナフィオン、シリコーンなどの膜からなるガス透過性の合成樹脂のチューブで、例えば多孔質テフロンチューブ（ｔｅｆｌｏｎ  ｔｕｂｅ）を用い、外管４はガラス管となっている。ガス透過性チューブは、ほとんどの酸、アルカリ、溶剤に対して、安定した材料で、通気性に優れ、強い撥水性があり、又、柔軟性があり加工が容易で引っ張りに強い強度を有している等の特徴がある。
【００２４】
内管３には、吸収液であるＭＢＴＨ溶液５を流入口３ａ側から内管流出口３ｂ側に向けて流している。このＭＢＴＨ溶液５は、ＭＢＴＨ溶液用ボトル５ａに貯留されている。又、内管３と外管４の間の空間６には、ホルムアルデヒドを含む大気７を通気させる構成になっている。ガラス管の両端には、大気７の吸入用ティー８と吐出用ティー９とが設けられ、大気７は、吸入用ティー８に導かれガラス管内を通過して吐出用ティー９から吐出される。この内管３と外管４の関係は、逆であってもよい。即ち、内管３に大気７を通気させ、外管４にＭＢＴＨ溶液５を流すような構成にしてもよい。本実施例においては、内管３にＭＢＴＨ溶液５を流す構成のものとして説明する。
【００２５】
この大気７がガラス管を通気する過程で、大気中のホルムアルデヒドが拡散によりガス透過性チューブの内壁を通過し、ガス透過性チューブ内のＭＢＴＨ溶液５に捕集される。このように、ガス拡散スクラバー２は、拡散係数の違いを利用して、ガス成分と粒子のうち拡散係数の大きいガス成分を選択的に捕集する機能を有している。大気７は、エアーポンプ１０で吸引されるが、吸入用ティー８に取り込まれる際、流量計１１により流量を一定にし、３方弁１２を介して、外部から必要な大気７がガス拡散スクラバー２に供給されるようになっている。不必要な大気は、廃棄用ボトル１３に回収される。
【００２６】
他方、ガス透過性チューブには、ＭＢＴＨ溶液用ボトル５ａからのＭＢＴＨ溶液５が大気７の吐出用ティー９側方向から吸入用ティー８側に流されている。このＭＢＴＨ溶液５は、他の溶液よりホルムアルデヒドの捕集効率の高い溶剤である。その流量は、例えば毎分０．２ｍｌである。このガス拡散スクラバー２のラインがインジェクトモードになると、ホルムアルデヒドの取り込まれたＭＢＴＨ溶液５は、加熱装置１４に導かれる。このＭＢＴＨ溶液５は、液体ポンプ１５によって切り替え弁１５ａを介して流される。液体ポンプ１５は、定量ポンプであり、例えば、耐薬品性、気密性のある薄肉のガス透過性チューブを使用したチュービングポンプである。
【００２７】
前述のように、大気中のホルムアルデヒドを一定時間取り込んだ後、このＭＢＴＨ溶液５は加熱装置１４に導かれる。ＭＢＴＨとＨＣＨＯとの反応及びその化合物の酸化反応は、比較的遅いので加熱により反応を促進させる。加熱装置１４に導かれたＭＢＴＨ溶液５は、ヒーターである第１反応コイル１６により、反応を短時間に促進するため加熱されるが、この加熱温度は５０〜８０℃が好ましい。
【００２８】
このとき塩化鉄（ＦｅＣｌ３）１７もＭＢＴＨ溶液５同様に、液体ポンプ１８によって塩化鉄溶液ボトル１９から加熱装置１４に導かれＭＢＴＨ溶液５と混入する。塩化鉄溶液１７の混入されたＭＢＴＨ溶液５は、第２反応コイル２０により加熱され酸化呈色反応する。これは以下に示す化１のように図解される。塩化鉄溶液１７は、ＭＢＴＨ溶液５と混入する前に予め加熱しておいた方が好ましく、そのための反応コイル１６ａが別に設けられている。
【００２９】
【化１】
2004333329.tif 000003
【００３０】
この加熱装置１４は恒温槽２１内にあり、恒温槽２１の温度は温度調整装置２２により調整が可能であり、この温度調整装置２２によりＭＢＴＨ溶液５の温度を一定にするようにしている。塩化鉄溶液１７が混入して反応したＭＢＴＨ溶液５は、冷却コイル２３を経て吸光光度検出器２４に導かれ、極大吸収波長が６３０ｎｍ付近で吸光度を測定する。この吸光光度検出器２４を通過したＭＢＴＨ溶液５は、背圧コイル２５ａを介して廃棄用ボトルに回収される。次に吸光光度検出器２４について詳述する。
【００３１】
図５は、測定装置である吸光光度検出器２４にフローセル型検出器２４ａを適用した例を示す。このフローセル型検出器２４ａは公知の装置で、セルパネル２６にステンレスパイプ２７，２８が接続されたものである。このステンレスパイプ２７、２８の先端は、継手２９、３０、配管用ステンレスパイプ３１，３２が各々接続している。前述のガス拡散スクラバー２の内管流出口３ｂに配管用ステンレスパイプ３１が接続している。
【００３２】
又、このフローセル型検出器２４ａには、フローセルをロックするためのねじ３３やフローセルの着脱時に使用するつまみ３４等が設けられている。ＭＢＴＨ溶液５は、配管用ステンレスパイプ３１、継手２９、ステンレスパイプ２７を介してセルパネル２６に取り込まれ、ステンレスパイプ２８、継手３０、配管用ステンレスパイプ３２を介して排出される。
【００３３】
ＭＢＴＨ溶液５は、ホルムアルデヒドの量によって色が異なるので、この色の違いを検出し分析装置で光を演算処理し、ホルムアルデヒドの濃度を分析する。排出されたＭＢＴＨ溶液５は廃液として廃棄用ボトル２５に貯留される。測定装置にフローセル型検出器２４ａを適用したことで説明したが、本発明に関わる機能をもつものであればどのような装置であってもよく、測定装置は限定されない。
【００３４】
図６は、他の実施例で模式的に示した構成図である。ガス拡散スクラバー４０を２個設け、各々切り替えて使用する形態のものである。即ち、この構成は、切り替え弁である６方弁４１を使用し、この６方弁４１に対向して２つのガス拡散スクラバー４０ａ，４０ｂを結合したものである。図に示すガス拡散スクラバー４０は曲体をなしているが、機能は前述のガス拡散スクラバー２と変わることはない。図３に示す切り替え弁１５ａが６方弁４１であれば、直線状のガス拡散スクラバー構成であっても回路構成を変えることにより、接続は可能である。ガス拡散スクラバーの形状に限定されることはない。
【００３５】
６方弁４１は、６つのポートに通じ回転して通過する液体の流れ方向を変えるものである。弁体のポートは、ａ，ｂ及びｃ，ｄ間が穴によって通じ液体が通過する通路を形成し、ｂ，ｅ，ｆ，ａ間は、閉鎖されていて液体は通過しない。弁体が１８０度回転して位置を変えると、前記の液体通過形態は逆になり、一方のガス拡散スクラバー４０ａに通じていたものが他方のガス拡散スクラバー４０ｂに通じるようになる。この構成は、ガス拡散スクラバーのベースラインを早く安定性化するのに効果的である。
【００３６】
図のように、一方のガス拡散スクラバー４０ａを使用しＭＢＴＨ溶液５を容器から６方弁４１に取り込む。同時に矢印で示すように、前述同様吸入口４０ｃから吸入し、排出口４０ｄから排出して通気する大気からホルムアルデヒドを捕集したＭＢＴＨ溶液５をポートａ，ｂ，ｃ，ｄを介して液体ポンプ１５で吸出し加熱装置１４へ流すようにしている。加熱装置１４へ流されたＭＢＴＨ溶液５の処置は前述と同様であるので、説明は省略する。他方のガス拡散スクラバー４０ｂは、ポートａとｆ間及びポートｄとｅ間は閉鎖状態であるので、連続してＭＢＴＨ溶液５を流す構成にはなっていない。大気を通気させベースラインを安定化しておく。
【００３７】
他方のガス拡散スクラバー４０ｂに切り替えてＭＢＴＨ溶液５を加熱装置１４側に流す場合は、前述のように６方弁４１を回転することによって通路形態を切り替えポートの位置を変える。即ち、６方弁４１の穴のある位置が変わるので、今度はポートａ，ｆ及びｅ，ｄ間を通してホルムアルデヒドの捕集された他方のガス拡散スクラバー４０ｂのＭＢＴＨ溶液５を液体ポンプ１５で吸出し加熱装置１４へ流すようになり、ポートａとｂ間及びポートｃとｄ間は閉鎖される。このように２つのガス拡散スクラバー４０を状況に応じて通路形態を切り替えて使用すればよい。
【００３８】
図示はしていないが、大気のガス拡散スクラバーへの導入も切り替える構成にすると、ベースラインの安定性が向上する。切り替え後は前述と同様な操作を行えばよい。このような構成により、測定、分析時間の短縮を図ることが可能となり、又、異なる環境の大気のホルムアルデヒドの測定も同時に行うことが可能となる。
【００３９】
図７、図８は、本発明の構成にもとづき測定、分析した液体中におけるホルムアルデヒドの濃度の状態を示したものである。ホルムアルデヒドの濃度変化が測定時間に比例して安定的に吸収率（検量線）の上昇として結果が得られていることを示している。溶液は、３．０ｍＭのＭＢＴＨ溶液に１００ｍＭのＨＣＩのＦｅＣｌ３（塩化鉄）溶液を加えたものである。加熱装置の加熱温度は５０℃、溶液の流量はｔｏｔａｌで毎分４００μｌである。
【００４０】
図９は、気体中のホルムアルデヒドの濃度を分析した結果のデータを示したものである。ホルムアルデヒド（ＨＣＨＯ）は２０ｐｐｂである。
【００４１】
このような本発明の構成により、ガス拡散スクラバー内の溶液の容積は従来のバブリングに比べると、略１００分の１になった。原理的には、従来と同じ通気量で１００倍の感度になったといえる。結果的に少ないサンプリングで短時間に測定、分析ができる。更に、モル吸光係数の高い反応系を使用することでさらに感度を高めることができる。従来のように高い濃度のアルカリを使用する必要がなく取り扱いが容易になった。これら一連の操作を自動的に測定分析処理するようにした。
【００４２】
【発明の効果】
以上、詳記したように、本発明のホルムアルデヒドの分析技術とその装置により、大気中のホルムアルデヒドを高感度に測定、分析できるようになった。又、高スループットで半連続的に測定、分析ができ、更に、現場で短時間に能率のよい測定ができ、分析装置はポータブルな構成のものとし、小型、軽量化のなされた装置となった。構成が簡素であるので、装置を低コストで製造できることとなった。
【図面の簡単な説明】
【図１】図１は、ＭＢＴＨ、ＡＨＭＴ、ＦＬＵＯＲＡＬ−Ｐの各測定方法による液体中のホルムアルデヒドの検量線の比較データを示す図である。
【図２】図２は、各測定法による極大吸収波長の値を示す図である。
【図３】図３は、本発明の実施例である全体システムを示した構成図である。
【図４】図４は、ガス拡散スクラバーの構成を示した断面図である。
【図５】図５は、吸光光度検出器の構成を示す構成図である。
【図６】図６は、他の実施例を示すシステム構成図である。
【図７】図７は、液体中のホルムアルデヒドの濃度変化の実施結果を示すデータの図である。
【図８】図８は、図７にもとづくホルムアルデヒドの濃度変化の実施結果を別形態で示すデータの図である。
【図９】図９は、気体中のホルムアルデヒドの濃度変化の実施結果を示すデータの図である。
【符号の説明】
１…システム
２…ガス拡散スクラバー
３…内管
４…外管
５…ＭＢＴＨ溶液
７…大気
１４…加熱装置
１５，１８…液体ポンプ
１７…塩化鉄溶液
２４…吸光光度検出器
２４ａ…フローセル型検出器
【図１】
2004333329.tif 000004
【図２】
2004333329.tif 000005
【図３】
2004333329.tif 000006
【図４】
2004333329.tif 000007
【図５】
2004333329.tif 000008
【図６】
2004333329.tif 000009
【図７】
2004333329.tif 000010
【図８】
2004333329.tif 000011
【図９】
2004333329.tif 000012